(57)【要約】【課題】使用状態において表示部が前方の物体に衝突したときに、表示部が眼球に接触しにくい映像表示装置を提供する。【解決手段】表示部５の周囲の、使用時における顔面側に、緩衝部材７が設けられている。緩衝部材７は、ゴム等の弾力性のある柔らかな材料で構成されており、使用時においては顔面と離れており、表示部５が前方から押された場合には、表示部５が顔面に当たる前に顔面に当たって、表示部５が顔面に当たるのを防止するようになっている。従って、表示部５が前方から押された場合に、表示部５が眼球に当たって眼を傷つけることを防止できる。【選択図】  図１
2008005079.tif 000002
【特許請求の範囲】
【請求項１】
頭部に装着して、表示される映像を観察する映像表示装置であって、当該映像表示装置を頭部に固定するための２つの固定部と、前記固定部を連結する連結部と、前記固定部に支持された支持アームと、当該支持アームの先端部に設けられ、使用者の眼に映像を表示する表示部とを有し、装着状態において前記表示部と使用者の眼との間に位置し、定常状態においては使用者の顔に接触しせず、前記表示部が前方より押されたときに使用者の顔に接触する緩衝部材が取り付けられていることを特徴とする映像表示装置。
【請求項２】
前記緩衝部材は、前記表示部の少なくとも上下に設けられ、その上下方向の長さは、眼窩の大きさより大きいことを特徴とする請求項１に記載の映像表示装置。
【請求項３】
前記緩衝部材は透明又は半透明な部材で構成されていることを特徴とする請求項１又は請求項２に記載の映像表示装置。
【請求項４】
前記緩衝部材は、メッシュ状部材又は穴を有する部材で構成されていることを特徴とする請求項１から請求項３のうちいずれか１項に記載の映像表示装置。
【請求項５】
前記緩衝部材の鼻側の端部は、鼻を避けた形状とされていることを特徴とする請求項１から請求項４のうちいずれか１項に記載の映像表示装置。
【請求項６】
前記表示部の光学部材中心から、前記緩衝部材の上下方向端部までの距離は、１０〜２５ｍｍであることを特徴とする請求項１から請求項５のうちいずれか１項に記載の映像表示装置。
【請求項７】
前記表示部の光学部材中心から、前記緩衝部材の鼻側方向端部までの距離は、２５〜４０ｍｍであることを特徴とする請求項１から請求項６のうちいずれか１項に記載の映像表示装置。
【請求項８】
前記緩衝部材は、前記表示部の光学部材中心に対して、上下対称であることを特徴とする請求項１から請求項７のうちいずれか１項に記載の映像表示装置。
【発明の詳細な説明】
【技術分野】
【０００１】
本発明は、映像表示装置に関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。このようなヘッドマウントディスプレイは、通常は、映像を表示する表示部と音声を出力するヘッドホーンとを有している。
【０００４】
このようなヘッドマウントディスプレイの概要を図６に示す。このヘッドマウントディスプレイ１においては、２つのヘッドホーンハウジング２がオーバヘッドバンド３によって連結されている。オーバヘッドバンド３は、弾力性を有し、ヘッドマウントディスプレイ１を装着するときには、ヘッドホーンハウジング２を両耳位置に位置させ、オーバヘッドバンド３の弾力により、人間の頭部（耳部）をヘッドホーンハウジング２で挟んで固定する。すなわち、ヘッドホーンハウジング２が固定部であり、オーバヘッドバンド３が連結部である。装着時においては、図６に示すように、オーバヘッドバンド３が頭頂部方向を向くような位置で装着される。
【０００５】
ヘッドホーンハウジング２には、表示部アーム４が回動可能に取り付けられており、その先端部に、使用者の眼に映像を表示する表示部５が取り付けられている。使用時には、図１に破線で示すように、表示部アーム４を回動させて表示部５を使用者の眼前に位置させ、映像を表示する。ヘッドホーンハウジング２には、外部からのケーブル６が接続されている。
【特許文献１】ＷＯ２００４／０６１５１９Ａ１公報
【発明の開示】
【発明が解決しようとする課題】
【０００６】
このようなヘッドマウントディスプレイを使用する場合、特に屋外で使用する場合においては、表示部５が前方の物体に衝突したときに、眼球に表示部５が接触し、眼球にダメージを与えることを防止するようにすることが好ましい。
【０００７】
本発明はこのような事情に鑑みてなされたもので、使用状態において表示部が前方の物体に衝突したときに、表示部が眼球に接触しにくい映像表示装置を提供することを課題とする。
【課題を解決するための手段】
【０００８】
前記課題を解決するための第１の手段は、頭部に装着して、表示される映像を観察する映像表示装置であって、当該映像表示装置を頭部に固定するための２つの固定部と、前記固定部を連結する連結部と、前記固定部に支持された支持アームと、当該支持アームの先端部に設けられ、使用者の眼に映像を表示する表示部とを有し、装着状態において前記表示部と使用者の眼との間に位置し、定常状態においては使用者の顔に接触しせず、前記表示部が前方より押されたときに使用者の顔に接触する緩衝部材が取り付けられていることを特徴とする映像表示装置である。
【０００９】
前記課題を解決するための第２の手段は、前記第１の手段であって、前記緩衝部材は、前記表示部の少なくとも上下に設けられ、その上下方向の長さは、眼窩の大きさより大きいことを特徴とするものである。
【００１０】
前記課題を解決するための第３の手段は、前記第１の手段又は第２の手段であって、前記緩衝部材は透明又は半透明な部材で構成されていることを特徴とするものである。
【００１１】
前記課題を解決するための第４の手段は、前記第１の手段から第３の手段のいずれかであって、前記緩衝部材は、メッシュ状部材又は穴を有する部材で構成されていることを特徴とするものである。
【００１２】
前記課題を解決するための第５の手段は、前記第１の手段から第４の手段のいずれかであって、前記緩衝部材の鼻側の端部は、鼻を避けた形状とされていることを特徴とするものである。
【００１３】
前記課題を解決するための第６の手段は、前記第１の手段から第５の手段のいずれかであって、前記表示部の光学部材中心から、前記緩衝部材の上下方向端部までの距離は、１０〜２５ｍｍであることを特徴とするものである。
【００１４】
前記課題を解決するための第７の手段は、前記第１の手段から第６の手段のいずれかであって、前記表示部の光学部材中心から、前記緩衝部材の鼻側方向端部までの距離は、２５〜４０ｍｍであることを特徴とするものである。
【００１５】
前記課題を解決するための第８の手段は、前記第１の手段から第７の手段のいずれかであって、前記緩衝部材は、前記表示部の光学部材中心に対して、上下対称であることを特徴とするものである。
【発明の効果】
【００１６】
本発明によれば、使用状態において表示部が前方の物体に衝突したときに、表示部が眼球に接触しにくい映像表示装置を提供することができる。
【発明を実施するための最良の形態】
【００１７】
以下、本発明の実施の形態の例を、図を用いて説明する。図１、図２は、本発明の実施の形態の１例であるヘッドマウントディスプレイの概要を示す図である。このヘッドマウントディスプレイ１においては、２つのヘッドホーンハウジング２がオーバヘッドバンド３によって連結されている。オーバヘッドバンド３は、弾力性を有し、ヘッドマウントディスプレイ１を装着するときには、ヘッドホーンハウジング２を両耳位置に位置させ、オーバヘッドバンド３の弾力により、人間の頭部（耳部）をヘッドホーンハウジング２で挟んで固定する。すなわち、ヘッドホーンハウジング２が固定部であり、オーバヘッドバンド３が連結部である。装着時においては、図１、図２に示すように、オーバヘッドバンド３が頭頂部方向を向くような位置で装着される。
【００１８】
ヘッドホーンハウジング２には、表示部アーム４が回動可能に取り付けられており、その先端部に、使用者の眼に映像を表示する表示部５が取り付けられている。使用時には、図１に破線で示すように、表示部アーム４を回動させて表示部５を使用者の眼前に位置させ、映像を表示する。ヘッドホーンハウジング２には、外部からのケーブル６が接続されている。
【００１９】
このヘッドマウントディスプレイにおいては、表示部５の周囲の、使用時における顔面側に、緩衝部材７が設けられている。緩衝部材７は、ゴム等の弾力性のある柔らかな材料で構成されており、使用時においては顔面と離れており、表示部５が前方から押された場合には、表示部５が顔面に当たる前に顔面に当たって、表示部５が顔面に当たるのを防止するようになっている。従って、表示部５が前方から押された場合に、表示部５が眼球に当たって眼を傷つけることを防止できる。
【００２０】
図３は、表示部５、緩衝部材７と顔面の位置関係を示す図である。緩衝部材７を表示部５の上下に設け、その上下方向の長さを、眼窩の大きさより大きくすることにより、緩衝部材７が眼窩に触れることが無くなるので好ましい。成人の眼窩の大きさは、上下方向で３０〜５０ｍｍである。よって、表示部５の光学部材の中心から、緩衝部材の上端、下端までの距離Ｄは、１５〜２５ｍｍとしておくと、緩衝部材７が眼窩に当たることがないので好ましい。
【００２１】
緩衝部材７の鼻側の端部を、鼻を避けた形状とすることにより、緩衝部材７が鼻に当たることが無くなるので好ましい。このようにすることにより、特に、表示部５を眼の位置に対して下方に位置させて使用する場合に、緩衝部材７が鼻に当たることを防止できる。成人の眼窩の左右方向中心から鼻までの距離は、２５〜４０ｍｍである。よって、表示部５の光学部材中心から、緩衝部材７の鼻側方向端部までの距離を、２５〜４０ｍｍとしておくと、緩衝部材７が鼻に当たることがないので好ましい。
【００２２】
このような構造の例を図４に示す（図４は、右眼用のものである）。緩衝部材７には、表示画像が見えるように穴７ａが開けられている。そして、その鼻側の部分７ｂの顔面に近い部分がえぐれた構造をしており、この部分が鼻を逃げる構造となっている。よって、緩衝部材７が鼻に当たることが無くなる。
【００２３】
なお、図１、図２においては、緩衝部材７を表示部５の周囲に設けているが、上下左右の少なくとも一方のみに設ければよい。さらに、表示部５の周囲に間隔をおいて設けられた複数の突起からなるようにしてもよい。ただし、当然のことではあるが、緩衝部材７の顔面側には、鋭利な形状を有する部分が無いことが好ましい。
【００２４】
又、図５（ａ）に示すように、緩衝部材７をメッシュ構造としておくと、緩衝部材７により視界が妨げられる程度を減らすことができる。同様の効果は、図５（ｂ）に示すように、緩衝部材７に穴８を設けることによっても得られる。緩衝部材７を透明又は半透明の材料で構成しても、緩衝部材７により視界が妨げられる程度を減らすことができる。
【００２５】
ヘッドマウントディスプレイの中には、表示部アーム４を図１、図２に破線で示す位置と逆方向に回動させ、かつ、本体の左右を反転させて装着することにより、図１、図２においては左眼用として使用されていたものを、右眼用として使用可能としたものがある。このようなヘッドマウントディスプレイにおいては、緩衝部材７の形状を、表示部の光学部材中心に対して、上下対称であるようにしておくと、左右どちらの眼用として使用する場合でも、同様の作用効果を得ることができる。
【００２６】
又、緩衝部材７を取り付け取り外し自在としておくことにより、安全が確保されている場所での使用時には、取り外して使用することができ、圧迫感を低減できる。
【図面の簡単な説明】
【００２７】
【図１】本発明の実施の形態の１例であるヘッドマウントディスプレイの概要を示す図である。
【図２】本発明の実施の形態の１例であるヘッドマウントディスプレイの概要を示す図である。
【図３】表示部、緩衝部材と顔面の位置関係を示す図である。
【図４】鼻に当たらない緩衝部材の例を示す図である。
【図５】緩衝部材の形態の例を示す図である。
【図６】ヘッドマウントディスプレイの概要を示す図である。
【符号の説明】
【００２８】
１…ヘッドマウントディスプレイ、２…ヘッドホーンハウジング、３…オーバヘッドバンド、４…表示部アーム、５…表示部、６…ケーブル、７…緩衝部材、８…穴
【図１】
2008005079.tif 000003
【図２】
2008005079.tif 000004
【図３】
2008005079.tif 000005
【図４】
2008005079.tif 000006
【図５】
2008005079.tif 000007
【図６】
2008005079.tif 000008